(57)【要約】【課題】フィルム型前面フィルタに好適な接地方法を実施できるプラズマディスプレイパネルを提供する。【解決手段】本発明に係るプラズマディスプレイパネルは、パネル72と、パネル72の前面に配置されるフィルム型前面フィルタ70と、パネル72の背面に配置されるバックカバーと、フィルム型前面フィルタ70とバックカバーとを電気的に接続しかつフィルム型前面フィルタ70と一部が重ねられて形成されるフィルタ支持部74と、フィルム型前面フィルタ70のフィルタ支持部74に重なる面上に形成される第１金属層80と、第１金属層80とフィルタ支持部74との間に配置されて第１金属層80とフィルタ支持部74とを電気的に接続する第２金属層78とを含み、この構成によって、パネル72の前面に固着されたフィルム型前面フィルタ70をバックカバーに接地することが可能となる。【選択図】  図１
2004158455.tif 000002
【特許請求の範囲】
【請求項１】
パネルと、
前記パネルの前面に配置されるフィルム型前面フィルタと、
前記パネルの背面に配置されるバックカバーと、
前記フィルム型前面フィルタと前記バックカバーとを電気的に接続しかつ前記フィルム型前面フィルタと一部が重ねられて形成されるフィルタ支持部と、
前記フィルム型前面フィルタの前記フィルタ支持部に重なる面上に形成される第１金属層と、
前記第１金属層と前記フィルタ支持部との間に配置されて前記第１金属層と前記フィルタ支持部とを電気的に接続する第２金属層と、
を含むことを特徴とするプラズマディスプレイパネル。
【請求項２】
前記第１金属層は、前記フィルム型前面フィルタと電気的に接続されることを特徴とする請求項１に記載のプラズマディスプレイパネル。
【請求項３】
前記第２金属層は、外部から前記フィルム型前面フィルタに加えられる衝撃を吸収できる弾性材料から形成されることを特徴とする請求項１に記載のプラズマディスプレイパネル。
【請求項４】
前記第２金属層は、フィンガースプリングガスケット及びシールドフォームガスケットのうちの一つであることを特徴とする請求項３に記載のプラズマディスプレイパネル。
【請求項５】
パネルと、
前記パネルの前面に前記パネルよりも広い面積を有するように配置されるフィルム型前面フィルタと、
前記パネルの背面に配置されるバックカバーと、
前記フィルム型前面フィルタと前記バックカバーとを電気的に接続するフィルタ支持部と、
前記フィルタ支持部と前記フィルム型前面フィルタの一部とを覆うように配置されかつ前記バックカバーに接続される支持部材と、
前記フィルム型前面フィルタの前記パネルに重ならない面を覆うように形成される金属層と、
を含むことを特徴とするプラズマディスプレイパネル。
【請求項６】
前記金属層は、前記フィルタ支持部と前記支持部材との間に形成されることを特徴とする請求項５に記載のプラズマディスプレイパネル。
【請求項７】
前記金属層は、前記フィルム型前面フィルタ及び前記フィルタ支持部と電気的に接続されることを特徴とする請求項６に記載のプラズマディスプレイパネル。
【請求項８】
前記フィルタ支持部は、前記金属層と接続される面上に複数の突起を有していることを特徴とする請求項６に記載のプラズマディスプレイパネル。
【請求項９】
前記金属層、前記フィルタ支持部、及び前記支持部材のそれぞれは少なくとも一つのネジ穴を有し、該ネジ穴を貫通するようにネジが配置されて、前記金属層、前記フィルタ支持部、及び前記支持部材が互いに固定されることを特徴とする請求項６に記載のプラズマディスプレイパネル。
【発明の詳細な説明】
【技術分野】
【０００１】
本発明は、プラズマディスプレイパネルに係り、特にフィルム型前面フィルタに好適な接地方法を実施することができるプラズマディスプレイパネルに関する。
【背景技術】
【０００２】
プラズマディスプレイパネル（Ｐｌａｓｍａ  Ｄｉｓｐｌａｙ  Ｐａｎｅｌ：以下、ＰＤＰと呼ぶ）は、Ｈｅ+Ｘｅ、Ｎｅ+Ｘｅ、またはＨｅ+Ｎｅ+Ｘｅなどの不活性混合ガスの放電時に発生する１４７ｎｍの紫外線によって蛍光体を発光させ、文字またはグラフィックスを含む画像を表示するものである。このようなＰＤＰは、薄型化及び大型化が容易なだけでなく、近年の技術開発によって画質も向上している。特に、３電極交流面放電型ＰＤＰは、放電時に表面に壁電荷が蓄積され、放電により発生するスパッタリングから電極が保護されるため、低電圧駆動及び長寿命という長所を有する。
【０００３】
図５は、従来の３電極面放電型ＰＤＰの放電セル構造を示す斜視図である。図５を参照すると、３電極交流面放電型ＰＤＰの放電セルは、上部基板１０上に形成されたスキャン電極Ｙ及びサステイン電極Ｚと、下部基板１８上に形成されたアドレス電極Ｘとを備え、スキャン電極Ｙとサステイン電極Ｚの各々は、透明電極１２Ｙ、１２Ｚと、透明電極１２Ｙ、１２Ｚよりも狭い線幅を有して透明電極の一側縁に形成された金属バス電極１３Ｙ、１３Ｚとを含んでいる。
【０００４】
透明電極１２Ｙ、１２Ｙは、通常インジウム−スズ酸化物（Ｉｎｄｉｕｍ−Ｔｉｎ−Ｏｘｉｄｅ：ＩＴＯ）からなり、上部基板１０上に形成される。金属バス電極１３Ｙ、１３Ｚは、通常クロム（Ｃｒ）などの金属からなり、透明電極１２Ｙ、１２Ｚ上に形成されて高抵抗の透明電極１２Ｙ、１２Ｚによる電圧降下を低減する機能を有する。スキャン電極Ｙとサステイン電極Ｚとが互いに平行に形成された上部基板１０には、上部誘電体層１４及び保護膜１６が積層される。プラズマ放電時に発生する壁電荷は、この上部誘電体層１４に蓄積される。保護膜１６は、プラズマ放電時に発生するスパッタリングによる上部誘電体層１４の損傷を防止すると共に、２次電子放出の効率を高めるものである。保護膜１６には、通常酸化マグネシウム（ＭｇＯ）が使用される。
【０００５】
アドレス電極Ｘが形成された下部基板１８上には下部誘電体層２２及び隔壁２４が形成され、下部誘電体層２２及び隔壁２４の表面には蛍光体層２６が塗布される。アドレス電極Ｘは、スキャン電極Ｙ及びサステイン電極Ｚと交差する方向に形成される。隔壁２４は、線状または格子状に形成され、放電により発生した紫外線及び可視光線が隣接する放電セルに漏洩するのを防止する。蛍光体層２６は、プラズマ放電時に発生した紫外線により励起されて、赤色、緑色、及び青色のいずれか一つの可視光線を発生させる。上／下部基板１０、１８と隔壁２４との間に確保された放電空間には、不活性混合ガスが注入される。
【０００６】
ＰＤＰは、画像の階調を実現するために、１フレームを発光回数の異なる複数のサブフィールドに分割し、時分割駆動方式により動作する。図６を参照すると、各サブフィールドは、全画面を初期化するための初期化期間と、スキャンラインを選択して選択されたスキャンラインからセルを選択するためのアドレス期間と、放電回数に応じて階調を実現するためのサステイン期間とに分割される。
【０００７】
例えば、２５６階調で画像を表示しようとする場合、図６に示すように、１／６０秒に相当するフレーム期間（１６．６７ｍｓ）が８個のサブフィールド（ＳＦ１〜ＳＦ８）に分割される。８個のサブフィールド（ＳＦ１〜ＳＦ８）の各々は、上述したように、初期化期間、アドレス期間、及びサステイン期間に分割される。各サブフィールドの初期化期間及びアドレス期間はすべてのサブフィールドで同一であるが、サステイン期間は、各サブフィールドごとに２n（ｎ=０、１、２、３、４、５、６、７）の比率で増大する。
【０００８】
このように駆動されるＰＤＰにおいて、上部基板１０上には、電磁放射ノイズを遮蔽すると共に外部光の反射を防止するための前面フィルタが配置されている。
【０００９】
図７は、従来のＰＤＰの一側端部を概略的に示す断面図である。図７を参照すると、従来のＰＤＰは、上部基板と下部基板とを接着して形成されるパネル３２と、パネル３２の前面に配置される前面フィルタ３０と、パネル３２の背面に配置される放熱板３４と、放熱板３４に固着させて配置されるプリント回路基板３６と、ＰＤＰの背面を覆うように形成されるバックカバー３８と、前面フィルタ３０をバックカバー３８に接続するためのフィルタ支持部４０と、前面フィルタ３０とバックカバー３８との間に配置されてフィルタ支持部４０を覆う支持部材（すなわちフロントカバー）４２を備えている。
【００１０】
プリント回路基板３６は、パネル３２の電極に駆動信号を供給する。このために、プリント回路基板３６は、図示されていない多様な駆動部を備えている。パネル３２は、プリント回路基板３６から供給される駆動信号に応答して所定の画像を表示する。放熱板３４は、パネル３２及びプリント回路基板３６から発生する熱を放熱させる。バックカバー３８は、外部からの衝撃に対してパネル３２を保護すると共に、ＰＤＰの背面に向けて放出される電磁放射ノイズ（ＥｌｅｃｔｒｏＭａｇｎｅｔｉｃ  Ｉｎｔｅｒｆｅｒｅｎｃｅ：以下、ＥＭＩと呼ぶ）を遮蔽する。
【００１１】
フィルタ支持部４０は、前面フィルタ３０をバックカバー３８に電気的に接続する。このようなフィルタ支持部４０は、前面フィルタ３０をバックカバー３８に接地させると共に、ＰＤＰの側面に向けてＥＭＩが放出されることを防止するものである。支持部材４２は、フィルタ支持部４０、前面フィルタ３０、及びバックカバー３８などを支持する。
【００１２】
前面フィルタ３０は、ＥＭＩを遮蔽すると共に外部光の反射を防止する。このため、前面フィルタ３０は、図８に示すように、反射防止膜５０、光特性膜５２、ガラス５４、ＥＭＩ遮蔽膜５６、及び近赤外線（ｎｅａｒ  ｉｎｆｒａｒｅｄ：以下ＮＩＲと呼ぶ）遮蔽膜５８を備えている。ここで、実際には、各膜５０、５２、５４、５６、５８同士を接着するために、前面フィルタ３０の各膜５０、５２、５４、５６、５８間には接着層が形成されている。また、一般に光特性膜５２は、接着層に特定の材料を付加することによって形成される。さらに、前面フィルタ３０の構造には、その製造業者ごとに多少の相違がある。本願明細書では、説明の便宜性のために、接着層の図示は省略して光特性膜５２を特定の層として示し、また、現在一般的に用いられる前面フィルタ３０の構造を例示する。
【００１３】
反射防止膜５０は、外部からの入射光が再び外部に反射されることを防止してＰＤＰのコントラストを向上させる。このような反射防止膜５０は、前面フィルタ３０の表面に形成されるが、さらに、この反射防止膜５０を前面フィルタ３０の裏面にも形成することができる。光特性膜５２は、パネル３２からの入射光のうち赤色（Ｒ）及び緑色（Ｇ）の輝度を下げると共に青色（Ｂ）の輝度を上げ、ＰＤＰの光特性を改善する。
【００１４】
ガラス５４は、外部からの衝撃によって前面フィルタ３０が破損することを防止する。言い換えれば、ガラス５４は、前面フィルタ３０が外部からの衝撃によって破損することを防止するために前面フィルタ３０を支持する。ＥＭＩ遮蔽膜５６は、ＥＭＩを遮蔽してパネル３２から入射するＥＭＩの外部への放出を防止する。ＮＩＲ遮蔽膜５８は、パネル３２から入射するＮＩＲを遮蔽する。このようなＮＩＲ遮蔽膜５８は、リモコンなどからパネル３２に送信される信号が正常に送信可能となるように、基準値を超えるＮＩＲの外部への放出を防止する。また、ＥＭＩ遮蔽膜５６及びＮＩＲ遮蔽膜５８は、一層で構成することができる。
【００１５】
このような前面フィルタ３０は、図９に示すように、フィルタ支持部４０を通してバックカバー３８と電気的に接続される。詳しくは、フィルタ支持部４０は、前面フィルタ３０の一側端部から前面フィルタ３０の裏面に接続される。このとき、フィルタ支持部４０は、ＥＭＩ遮蔽膜５６及びＮＩＲ遮蔽膜５８の少なくとも一つの膜と電気的に接続される。すなわち、フィルタ支持部４０は、前面フィルタ３０をバックカバー３８に接続し、それによってＥＭＩもしくはＮＩＲ、またはその両方を遮蔽するものである。
【００１６】
このような従来の前面フィルタ３０では、外部からの衝撃による前面フィルタ３０の破損を防止するためにガラス５４が使用される。しかし、このようにガラス５４が前面フィルタ３０に挿入されると、前面フィルタ３０が厚くなる短所がある。また、前面フィルタ３０にガラス５４が挿入されると、重くなると共に製造コストが増大する。
【００１７】
したがって、図１０に示すように、ガラス５４を除去したフィルム型前面フィルタ６０が提案されている。フィルム型前面フィルタ６０は、反射防止膜６２、光特性膜６４、ＥＭＩ遮蔽膜６６、及びＮＩＲ遮蔽膜６８を備えている。ここで、フィルム型前面フィルタ６０の各膜６２、６４、６６、６８間には、各膜６２、６４、６６、６８同士を接着するために接着層が形成されている。また、一般に光特性膜６４は、接着層に特定の材料を付加することによって形成される。さらに、フィルム型前面フィルタ６０の構造には、使用業者ごとに多少の相違がある。本願明細書では、説明の便宜性のために、接着層の図示は省略して光特性膜５２を特定の層として示す。
【００１８】
反射防止膜６２は、フィルム型前面フィルタ６０の表面に形成され、外部からの入射光が再び外部に反射されることを防止する。このような反射防止膜６２は、さらに、フィルム型前面フィルタ６０の裏面にも形成することができる。光特性膜６４は、パネル３２からの入射光のうち赤色（Ｒ）及び緑色（Ｇ）の輝度を下げると共に青色（Ｂ）の輝度を上げ、ＰＤＰの光特性を改善する。
【００１９】
ＥＭＩ遮蔽膜６６は、ＥＭＩを遮蔽してパネル３２から入射するＥＭＩの外部への放出を防止する。ＮＩＲ遮蔽膜６８は、パネル３２から入射するＮＩＲを遮蔽する。このようなＮＩＲ遮蔽膜６８は、リモコンなどからパネル３２に送信される信号が正常に送信可能となるように、基準値を超えるＮＩＲの外部への放出を防止する。また、ＥＭＩ遮蔽膜６６及びＮＩＲ遮蔽膜６８は、一層で構成することができる。
【００２０】
このようなフィルム型前面フィルタ６０は、ガラス５４を含む前面フィルタ３０に比べて軽量及び薄形にできるという長所がある。また、フィルム型前面フィルタ６０によれば、ガラス５４を含む前面フィルタ３０に比べて製造コストを低減できる。しかし、フィルム型前面フィルタ６０がＰＤＰに配置されたときのフィルム型前面フィルタ６０とフィルタ支持部４０との間の接地方法は、これまで提案されていない。
【発明の開示】
【発明が解決しようとする課題】
【００２１】
したがって、本発明の目的は、フィルム型前面フィルタに好適な接地方法を実施することができるプラズマディスプレイパネルを提供することにある。
【課題を解決するための手段】
【００２２】
上記の目的を達成するため、本発明に係るプラズマディスプレイパネルは、パネルと、前記パネルの前面に配置されるフィルム型前面フィルタと、前記パネルの背面に配置されるバックカバーと、前記フィルム型前面フィルタと前記バックカバーとを電気的に接続しかつ前記フィルム型前面フィルタと一部が重ねられて形成されるフィルタ支持部と、前記フィルム型前面フィルタの前記フィルタ支持部に重なる面上に形成される第１金属層と、前記第１金属層と前記フィルタ支持部との間に配置されて前記第１金属層と前記フィルタ支持部とを電気的に接続する第２金属層とを含むことを特徴とする。
【００２３】
また、本発明の別の態様では、本発明に係るプラズマディスプレイパネルは、パネルと、前記パネルの前面に前記パネルよりも広い面積を有するように配置されるフィルム型前面フィルタと、前記パネルの背面に配置されるバックカバーと、前記フィルム型前面フィルタと前記バックカバーとを電気的に接続するフィルタ支持部と、前記フィルタ支持部と前記フィルム型前面フィルタの一部とを覆うように配置されかつ前記バックカバーに接続される支持部材と、前記フィルム型前面フィルタの前記パネルに重ならない面を覆うように形成される金属層とを含むことを特徴とする。
【発明の効果】
【００２４】
本発明に係るプラズマディスプレイパネルによれば、パネルの前面にフィルム型前面フィルタを固着させることによって、プラズマディスプレイパネルの薄形化、製造コストの低減、及び軽量化が可能となる。また、本発明に係るプラズマディスプレイパネルによれば、フィルタ支持部をフィルム型前面フィルタに安定的に接続することができる。
【発明を実施するための最良の形態】
【００２５】
図１は、本発明の第１実施形態におけるプラズマディスプレイパネル（ＰＤＰ）を示す断面図である。図１を参照すると、本発明の第１実施形態におけるＰＤＰは、上部基板と下部基板とを接着して形成されるパネル７２と、パネル７２の前面に配置されるフィルム型前面フィルタ７０とを備えている。パネル７２の背面には、図示されていない放熱板、プリント回路基板、及びＰＤＰの背面を覆うように形成されるバックカバーが配置される。また、本発明の第１実施形態におけるＰＤＰは、バックカバーとフィルム型前面フィルタ７０を電気的に接続するためのフィルタ支持部７４と、フィルム型前面フィルタ７０とバックカバーとの間に配置されてフィルタ支持部７４を覆う支持部材（すなわちフロントカバー）７６とを備えている。
【００２６】
パネル７２は、プリント回路基板から供給される駆動信号に応答して所定の画像を表示し、放熱板は、パネル７２及びプリント回路基板から発生する熱を放熱させ、バックカバーは、外部からの衝撃に対してパネル７２を保護すると共にＰＤＰの背面に向けて放出されるＥＭＩを遮蔽する。また、フィルタ支持部７４は、フィルム型前面フィルタ７０をバックカバーに電気的に接続すると共に、ＰＤＰの側面に向けて放出されるＥＭＩを遮蔽する。支持部材７６は、フィルタ支持部７４及びバックカバーを支持する。
【００２７】
フィルム型前面フィルタ７０は、ＰＤＰの前面に向けて放出されるＥＭＩを遮蔽すると共に外部光の反射を防止する。また、フィルム型前面フィルタ７０は、赤色（Ｒ）及び緑色（Ｇ）の輝度を下げると共に青色（Ｂ）の輝度を上げてＰＤＰの光特性を改善し、さらに、ＮＩＲを遮蔽してリモコンの誤動作を防止する。このようなフィルム型前面フィルタ７０の構造は、図６に示した従来のフィルム型前面フィルタ６０の構造と同一である。
【００２８】
一方、フィルタ支持部７４の端部は、フィルム型前面フィルタ７０と電気的に接続するようにフィルム型前面フィルタ７０の端部と重ねられている。この際、フィルタ支持部７４と重なるフィルム型前面フィルタ７０の端部には、第１金属層８０が形成される。このような第１金属層８０は、フィルム型前面フィルタ７０のＮＩＲ遮蔽膜及びＥＭＩ遮蔽膜の少なくとも一つの遮蔽膜と電気的に接続される。ここで、第１金属層８０とフィルタ支持部７４の端部との間には、第２金属層７８が配置される。第２金属層７８は、フィルム型前面フィルタ７０とフィルタ支持部７４を電気的に接続するものである。
【００２９】
すなわち、本発明の第１実施形態では、フィルム型前面フィルタ７０の端部に形成される第１金属層８０と、第１金属層８０とフィルタ支持部７４の端部との間に配置される第２金属層７８とを使用して、フィルム型前面フィルタ７０とフィルタ支持部７４を接続する。ここで、第２金属層７８には、導電性接合材として現在広く利用されているフィンガースプリングガスケット（finger spring gasket）、またはシールドフォームガスケット（shielding foam gasket）を使用することができる。したがって、第２金属層７８は、使用されるガスケットの種類に応じて多様な形態で配置され、フィルム型前面フィルタ７０とフィルタ支持部７４を接続するものである。
【００３０】
一方、フィンガースプリングガスケット及びシールドフォームガスケットは所定の弾性を有するため、外部からフィルム型前面フィルタ７０に加えられる衝撃を吸収し、それによってフィルム型前面フィルタ７０の破損を防止することができる。すなわち、本発明において使用される第２金属層７８として、所定の弾性を有する材料を選択し、フィルム型前面フィルタ７０とフィルタ支持部７４を接続すると共に、外部から加えられる衝撃を吸収してフィルム型前面フィルタ７０の破損を防止するものである。
【００３１】
図２は、本発明の第２実施形態におけるプラズマディスプレイパネルを示す断面図である。図２を参照すると、本発明の第２実施形態におけるＰＤＰは、上部基板と下部基板とを接着して形成されるパネル７２と、パネル７２の前面に配置されるフィルム型前面フィルタ８８とを備えている。パネル７２の背面には、図示されていない放熱板、プリント回路基板、及びＰＤＰの背面を覆うように形成されるバックカバーが配置される。また、本発明の第２実施形態におけるＰＤＰは、バックカバーとフィルム型前面フィルタ８８を電気的に接続するためのフィルタ支持部８４と、フィルム型前面フィルタ８８とバックカバーとの間に配置されてフィルタ支持部８４を覆う支持部材８６とを備えている。
【００３２】
フィルム型前面フィルタ８８は、パネル７２よりも広い面積を有するように形成される。したがって、フィルム型前面フィルタ８８の一側端部８９は、パネル７２外の領域に突出する。すなわち、フィルム型前面フィルタ８８の一側端部８９は、パネル７２と重ならない。このように、パネル７２と重ならない前面フィルタ８８の一側端部８９を覆うように金属層８２が形成される。金属層８２は、ＮＩＲ遮蔽膜及びＥＭＩ遮蔽膜の少なくとも一つの遮蔽膜と電気的に接続される。一方、金属層８２は、支持部材８６とフィルタ支持部８４との間に配置される。ここで、金属層８２はフィルタ支持部８４と電気的に接続される。すなわち、フィルタ支持部８４は、金属層８２を介してフィルム型前面フィルタ８８と電気的に接続される。
【００３３】
すなわち、本発明の第２実施形態では、フィルム型前面フィルタ８８をパネル７２よりも大きく形成し、フィルム型前面フィルタ８８のパネル７２と重ならない一側端部を覆うように金属層８２を形成して、フィルタ支持部８４とフィルム型前面フィルタ８８を電気的に接続する。したがって、本発明の第２実施形態によれば、フィルム型前面フィルタ８８をフィルタ支持部８４に安定的に接続することができる。
【００３４】
一方、本発明の第２実施形態では、図３に示すように、金属層８２とフィルタ支持部８４が接続される面すなわちフィルタ支持部８４の端部に複数の突起９０を形成し、金属層８２とフィルタ支持部８４との間の接触抵抗を低減することができる。さらに、本発明においては、図４に示すように、支持部材８６、金属層８２、及びフィルタ支持部８４を貫通するように少なくとも一つのネジ９２を使用して、支持部材８６、金属層８２、及びフィルタ支持部８４を固定することができる。ここで、支持部材８６、金属層８２、及びフィルタ支持部８４には、ネジ９２が挿入できるように少なくとも一つのネジ穴（図示せず）が形成される。
【００３５】
上述したように、本発明に係るプラズマディスプレイパネルによれば、パネルの前面にフィルム型前面フィルタを固着させることによって、プラズマディスプレイパネルの薄形化、製造コストの低減、及び軽量化が可能となる。また、本発明に係るプラズマディスプレイパネルによれば、フィルタ支持部をフィルム型前面フィルタに安定的に接続することができる。
【００３６】
以上説明した内容を通じて、当業者であれば本発明の技術思想を逸脱しない範囲で多様な変更及び修正が可能である。したがって、本発明の技術的範囲は明細書に記載された内容に限定されるものではなく、特許請求の範囲により定められなければならない。
【図面の簡単な説明】
【００３７】
【図１】本発明の第１実施形態におけるプラズマディスプレイパネルを示す断面図である。
【図２】本発明の第２実施形態におけるプラズマディスプレイパネルを示す断面図である。
【図３】図２に示したフィルタ支持部に形成される突起を示す図である。
【図４】本発明の第２実施形態において、フィルタ支持部、フィルム型前面フィルタ、及び支持部材の固定方法を示す断面図である。
【図５】従来の３電極交流面放電型プラズマディスプレイパネルの放電セル構造を示す斜視図である。
【図６】一般的なプラズマディスプレイパネルにおいて２５６階調を表現するためのフレームを示す図である。
【図７】従来のプラズマディスプレイの一側端部を概略的に示す断面図である。
【図８】図７に示した前面フィルタを概略的に示す断面図である。
【図９】図７に示した前面フィルタとフィルタ支持部との接地方法を詳細に示す図である。
【図１０】フィルム型前面フィルタを概略的に示す断面図である。
【符号の説明】
【００３８】
３８  バックカバー
７０、８８  フィルム型前面フィルタ
７２  パネル
７４、８４  フィルタ支持部
７６、８６  支持部材
７８  第２金属層
８０  第１金属層
８２  金属層
【図１】
2004158455.tif 000003
【図２】
2004158455.tif 000004
【図３】
2004158455.tif 000005
【図４】
2004158455.tif 000006
【図５】
2004158455.tif 000007
【図６】
2004158455.tif 000008
【図７】
2004158455.tif 000009
【図８】
2004158455.tif 000010
【図９】
2004158455.tif 000011
【図１０】
2004158455.tif 000012